(57)【特許請求の範囲】
【請求項１】
シャーシを備える器具本体にランプおよびこのランプを覆うセードを取り付けてなる照明器具と、
前記照明器具を収納する包装箱と、
包装箱内に収納可能な平板状をなし一部に抜き穴が形成された位置決め緩衝材と、
緩衝材の下面側から抜き穴内に挿入して頂部側が位置決め緩衝材の上面側に突出し、この突出した頂部に前記照明器具の付属品を前記頂部から露出して固定するための固定手段が形成され、前記頂部よりも下側に前記シャーシを支持する受け部が形成される筒状の本体押えとを具備し、
照明器具、位置決め緩衝材及び本体押えを組合わせた状態で包装箱に収納することを特徴とする包装体。
【発明の詳細な説明】
【０００１】
【発明の属する技術分野】
この発明は、照明器具を箱体内に収容する包装体に関する。
【０００２】
【従来の技術】
照明器具は、その各部品を包装箱内に収納して包装し、この包装による荷姿で出荷される。図５および図６は照明器具の各部品を包装する従来の包装体を示す。図５は照明器具の包装前の分解状態の斜視図、図６は照明器具の包装後の断面図である。
【０００３】
図に示された照明器具は、器具本体４５、ランプユニット５０、セード６８および器具取付用のアタプター３８とで構成されている。照明器具の使用時には、器具本体４５の表面の反射板４７にランプユニット５０が装着され、さらにこのランプユニット５０を覆うように器具本体４５の表面側に係止具６９を介してセード６８が取り付けられる。
【０００４】
図において２１は段ボールにより偏平な箱形状に形成された包装箱で、２５は単板状の位直決め緩衝材で、この位置決め緩衝材２５は例えば包装箱２１の平面形状に対応する四角形をなし、その中心部には円形の抜き穴２６が形成されている。
【０００５】
２８は本体押えで、この本体押え２８は外周の中間部に段部２９を有した段付きの円筒状をなし、その段部２９を境とする下半部が大径筒部３０、上半部が小径筒部３１となっている。そして大径筒部３０の下端の開口縁にはその外側に水平に延びるフランジ３２が一体に形成されている。
【０００６】
包装状態においては、図２に示すように、本体押え２８は位置決め緩衝材２５における抜き穴２６内にその下方から挿入され、この状態で位置決め緩衝材２５が包装箱２１内に収納配置される。
【０００７】
また、本体押え２８の内側の空間内には器具取付用のアダプター３８が予め収納される。このアダプター３８は両側面に一対の孫合爪３９を有している。アダプター３８の上面には付属品として引掛けシーリング４２が添えられている。照明器具を取り付ける室内の天井に既設の引掛けシーリングがある場合には、その既設の引掛けシーリングを用いるものであるが、天井に引掛けシーリングがない場合には、その付属品としての引掛けシーリング４２を用いて照明器具を天井に取り付けるものである。
【０００８】
器具本体４５におけるシャーシ４６の中央部には、その内側に凹む凹部５５およびこの凹部５５の中央部に配置する取付口５６が形成され、これら凹部５５および取付口５６とにより前記本体押え２８の上部と嵌合可能な嵌合部５４が構成されている。そして前記取付口５６に対応して反射坂４７に開口が形成され、この開口５７の内周に上下ニ段に亘って係止爪５８ａ，５８ｂが突出形成されている。
【０００９】
そして、シャーシ４６の凹部５５の傾斜部５９が本体押え２８の受け部３５の上に重なって嵌合すると共に、本体押え２８の小径筒部３１がシャーシ４６の取付口５６および反射板４７の開口５７に嵌合し、この小径筒部５１の周面が孫止爪５８ａ，５８ｂの先端縁に接触する。
【００１０】
６３はランプ押えで、このランプ押え６３は前記反射板４７の上に載置されて、この載置により各切欠溝６４が各蛍光ランプ５２の外周に嵌合し、この嵌合で各蛍光ランプ５２が定位置に保持される。
【００１１】
６８は透光性を有する合成樹脂で形成されたセードで、このセード５８は前記ランプ押え６３の上に載置するもので、その載置時にはセード６８がランプ押え６３の上端縁の湾曲した保持部６５を介して安定して支持される。
【００１２】
【発明が解決しようとする課題】
上記の包装体は、照明器具の使用時において包装体から照明器具の各部品を取り出す際に、アダプター３８等の付属品が本体押え２８に収納されているため、作業者はこの付属品の存在が分からぬままに包装箱２１や位置決め緩衝材２５とともに付属品が本体押え２８を捨ててしまう可能性がある。
【００１３】
本発明は上記問題を解決し得る包装体を提供することを目的とする。
【００１４】
【課題を解決するための手段】
請求項１に記載の包装体は、シャーシを備える器具本体にランプおよびこのランプを覆うセードを取り付けてなる照明器具と、前記照明器具を収納する包装箱と、包装箱内に収納可能な平板状をなし一部に抜き穴が形成された位置決め緩衝材と、緩衝材の下面側から抜き穴内に挿入して頂部側が位置決め緩衝材の上面側に突出し、この突出した頂部に前記照明器具の付属品を前記頂部から露出して固定するための固定手段が形成され、前記頂部よりも下側に前記シャーシを支持する受け部が形成される筒状の本体押えとを具備し、照明器具、位置決め緩衝材及び本体押えを組合わせた状態で包装箱に収納することを特徴とする。
【００１５】
本発明において、照明器具の付属品とは、例えば照明器具を取り付ける際に用いるアダプタなどのことを意味するが、他の物品であってもよい。
【００１６】
また、本体押えの固定手段は、照明器具の付属品を本体押えの頂部に露出させて固定する機能を有していれば、形態は限定されない。
【００１７】
本発明の作用を説明する。照明器具を梱包するにあたっては、位置決め緩衝材の抜き穴に本体押えを挿入させて装着し、この本体押えに照明器具の器具本体を載置する。このように、本発明によれば、簡単な構造の位置決め緩衝材を用いて容易かつ確実に器具本体を安定した状態に保持できる。したがって、この器具本体に照明器具の他の部品を載置または組み付けて包装すれば、照明器具を安定した状態で梱包できる。
【００１８】
そして、照明器具の使用時において包装体から照明器具の各部品を取り出す際に、アダプター等の付属品が固定手段によって本体押え上に取り付けられているため、作業者に付属品があることが分かりやすい。したがって付属品を誤って捨ててしまうことが発生しにくくなる。
【００２１】
【発明の実施の形態】
以下、本発明の実施形態について図１ないし図４を参照して説明する。
【００２２】
図１は本発明の照明器具の包装前の分解状態の斜視図、図２は同じく包装後の断面図である。
【００２３】
図に示された照明器具は、器具本体４５、ランプユニット５０、セード６８および器具取付用のアタプター３８とで構成されている。照明器具の使用時には、器具本体４５の表面の反射板４７にランプユニット５０が装着され、さらにこのランプユニット５０を覆うように器具本体４５の表面側に係止具６９を介してセード６８が取り付けられる。
【００２４】
図において２１は、段ボールにより偏平な箱形状に形成された包装箱で、この包装箱２１は、図１に示すように一側面に開口部２２を有し、この開口部２２の各縁にそれぞれフラップ２３が設けられている。
【００２５】
２５は、複合両面段ボールや両面段ボール等の強度の高い段ボールで形成された単板状の位直決め緩衝材で、この位置決め緩衝材２５は例えば包装箱２１の平面形状に対応する四角形をなし、その中心部には円形の抜き穴２６が形成されている。
【００２６】
２８は本体押えで、この本体押え２８は外周の中間部に段部２９を有した段付きの円筒状をなし、その段部２９を境とする下半部が大径筒部３０、上半部が小径筒部３１となっている。そして大径筒部３０の下端の開口縁にはその外側に水平に延びるフランジ３２が一体に形成されている。
【００２７】
図３は本体押えを拡大して示す本実施形態の一部断面図、図４は本体押えの斜視図である。
【００２８】
大径筒部３０の外径は、前記位置決め緩衝材２５における抜き穴２６の内径よりごく僅かに小さくなっており、また図３に示すように大径筒部３０と小径筒部３１との間の水平壁部３３にはその外周寄りに位置して凸部３４が環状に形成され、この凸部３４の外周側の側面が受け部３５となっている。本体押えの頂部には照明器具の付属品であるアダプター３８や引掛けシーリングの寸法よりも小さい径の開口３１ａが形成されている。この開口３１ａが付属品の保持手段として作用する。アダプター３８と引掛けシーリングはこの開口３１ａを介して、使用時と同様に組み合わせることにより本体押え２８に固定されている。すなわち、アダプター３８と引掛けシーリング４２とはアダプター３８の上面に設けられた引掛けシーリングに対する係合用の引掛け爪４１により係合させる。したがって、本体押え２８の頂部にからはアダプター３８のみが露出するようになる。そして、アダプター３８は、両側面に一対の孫合爪３９を有しており、これら係合爪３９はスプリング（図示せず）によりその両側面から弾性的に突出するように付勢されている。そしてこれら係合爪３９をその付勢力に抗して没入させる操作ボタン４０がアダプター３８の下面に設けられている。なお、アダプター３８と引掛けシーリングの位置関係は逆であってもよい。
【００２９】
照明器具を取り付ける室内の天井に既設の引掛けシーリングがある場合には、その既設の引掛けシーリングを用いるものであるが、天井に引掛けシーリングがない場合には、その付属品としての引掛けシーリング４２を用いて照明器具を天井に取り付けるものである。
【００３０】
なお、この本体押え２８は、焼却してもダイオキシンの原因となる物質を発することのない合成樹脂あるいは一定の剛性を有する紙を材料として形成されている。
【００３１】
包装状態においては、図２に示すように、本体押え２８は位置決め緩衝材２５における抜き穴２６内にその下方から挿入され、この挿入により大径筒部３０が抜き穴２６に密に嵌合する状熊にある。そしてこの状態で位置決め緩衝材２５が包装箱２１内に収納配置される。
【００３２】
４５は照明器具の器具本体で、この器具本体４５は金属製のシャーシ４６と、このシャーシ４６の表面に取り付けられた反射坂４７とで構成されている。
【００３３】
また、５０はランプユニットで、このランプユニット５０はランプホルダ５１に複数、例えばサイズの異なる三つの環形の蛍光ランプ５２をそれぞれアーム５３を介して着脱可能に取り付けてなる。
【００３４】
そして器具本体４５の反射板４７には前記ランプホルタ５Ｉの嵌合が可能な取付溝４８が形成され、この取付溝４８内にランプホルダ５１を嵌合してランプユニット５０を器具本体４５に取り付けることができるようになっている。
【００３５】
器具本体４５におけるシャーシ４６の中央部には、その内側に凹む凹部５５およびこの凹部５５の中央部に配置する取付口５６が形成され、これら凹部５５およぴ取付口５６とにより前記本体押え２８の上部と嵌合可能な嵌合部５４が構成されている。そして前記取付口５６に対応して反射坂４７に開口５７が形成され、この開口５７の内周に上下ニ段に亘って係止爪５８ａ，５８ｂが突出形成されている。
【００３６】
照明器具の使用時には、前記アダプター３８を引掛け爪４１を介して室内の天井に取り付ける。そして器具本体４５を反射板４７が下方を向く水平状態に保持すると共に、取付口５５を前記アダプター３８の外周に嵌合して押し込む。この押し込みにより前記いずれかの孫止爪５８ａ・５８ｂがアダプター３８の係合爪３９に弾性的に係合し、この係合により器具本体４５がアタプター３８と結合して室内の天井に固定されるものである。
【００３７】
シャーシ４６に形成された凹部５５の内周は、前記本体押え２８に形成された受け部３５に対応する傾斜部５９となっている。そして凹部５５と取付口５６とで構成されたシャーシ４６の嵌合部５４を本体押え２８の上部に嵌合することにより器具本体４５が水平に支持されるようになっている。
【００３８】
この支持状態においては、シャーシ４６の凹部５５の傾斜部５９が本体押え２８の受け部３５の上に重なって嵌合すると共に、本体押え２８の小径筒部３１がシャーシ４６の取付口５６および反射板４７の開口５７に嵌合し、この小径筒部５１の周面が孫止爪５８ａ，５８ｂの先端縁に接触する。
【００３９】
６３はランプ押えで、このランプ押え６３は段ボールにより矩形の枠状に形成され、その長手方向に沿う側壁の下端禄にはランプユニット５０における各蛍光ランプ５２に対応する逆Ｕ字状の切欠溝６４が形成され、また長手方向に沿う側壁の上端縁は円弧状に湾曲する保持部６５となっている。
【００４０】
このランプ押え６３は前記反射板４７の上に載置するもので、この載置により各切欠溝６４が各蛍光ランプ５２の外周に嵌合し、この嵌合で各蛍光ランプ５２が定位置に保持される。
【００４１】
６８は透光性を有する合成樹脂で形成されたセードで、このセード５８は前記ランプ押え６３の上に載置するもので、その載置時にはセード６８がランプ押え６３の上端縁の湾曲した保持部６５を介して安定して支持される。
【００４２】
器具本体４５におけるシャーシ４６の周禄の均等的な例えば３箇所には係止具６９が取り付けられ、これら係止具６９を介してセード６８の周縁部が着脱可能に係止され、この係止によりシャーシ４６に対してセード６８が一体的に結合されて位置決めされる。なお、７０はセード６８の外周部に取り付けられた飾り枠である。
【００４３】
次に、照明器具を包装するときの手順について説明する。
【００４４】
まず、アダプター３８と引掛けシーリングはこの開口３１ａを介して、使用時と同様に組み合わせることにより本体押え２８に固定する。そして、この本体押え２８を位置決め緩衝材２５の抜き穴２６内にその下方から挿入して位置決め緩衝材２５に取り付ける。次に器具本体４５の反射坂４７にランプユニット５０を取り付け、この器具本体４５を前記位置決め緩衝材２５の上に配置し、シャーシ４６の嵌合部５４を位置決め緩衝材２５の上面から突出した本体押え２８の上部に嵌合し、その嵌合部５４における傾斜部５９を本体押え２８の受け部３５に当接させると共に、取付口５６を本体押え２８の小径筒部３１の外周に嵌め込む。なお、この際、位置決め緩衝材２５とシャーシ４５との間にスポンジ６０を介在させる。
【００４５】
この後、反射板４７の上にランプ押え６３を載置し、各切欠溝６４を各蛍光ランプ５２の外周に嵌合して位置決めする。そして、このランプ押え６３の上にセード６８を載置し、このセード６８の周縁をシャーシ４６の係止具６９に掛け止めて固定する。
【００４６】
このように位置決め緩衝材２５の上に照明器具の各部品を選み合わせた後に、位置決め緩衝材２５を包装箱２１の開口部２２からその内部に挿入し、この挿入後に各フラップ２３を閉じ合わせ、さらに包装箱２１の外周に粘着テープ等を巻き掛けて梱包する。これにより照明器具の包装が完了する。
【００４７】
このような包装構造においては、位置決め緩衝材２５がその周縁と包装箱２１の内周壁との当接で定位置に固定され、またこの位置決め緩衝材２５の抜き穴２６に嵌合した本体押え２８がその嵌合で定位置に固定される。そして器具本体４５はシャーシ４６の嵌合部５４と本体押え２８との嵌合で定位置に固定され、またセード６８はシャーシ４６に係止６９を介して係止されているから器具本体４５と共に定位置に固定される。
【００４８】
このようにして照明器具は安定した状態に包装される。そしてこの包装された照明器具の上下方向の荷重は、シャーシ４６における凹部５５の傾斜部５９と本体押え２８の受け部３５との当接で安定して受け止められ、また水平方向の荷重は、シャーシ４５の取付口５６と本体押え２８の小径筒部３１との嵌合で安定して受け止められる。
【００４９】
さらに、セード６８は係止具６９を介してシャーシ４６に固定されており、このため外部から衝撃が加わったときのずれ動きが位置決め緩衝材２５およひ本体押え２８を介して確実に抑えられ、したがってセード６８の周縁と包装箱２１の内壁との間の余裕の寸法を小さくしてもセード６８の損傷を防止することができる。
【００５０】
引掛けシーリング４２は本体押え２８の内側の空間を利用して収納されており、このためその収容の専用空間を確保する必要がなく、またアダプター３８と引掛けシーリング４２が本体押え２８に安定して固定されるから、そのアダプター３８を粘着テープ等で止め付けるような面倒で煩わしい作業が不要となる。
【００５１】
一方、照明器具の包装にあたっては、平板状の位置決め緩衝材２５に本体押え２８を取り付け、この本体押え２８の上部にシャーシ４６の嵌合部５４を嵌合すれば器具本体４５を的確に位置決めでき、またセード６８は係止具６９を介してシャーシ４６に係止すれぱ的確に位置決めでき、したがってその包装の作業を容易に能率よく行なうことができる。そして位置決め緩衝材２５は単なる段ボール製の平板からなる簡単な構造であるから安価に製作でき、包装コストを低減することができる。
【００５２】
【発明の効果】
請求項１に記載の発明によれば、照明器具を梱包するにあたっては、位置決め緩衝材の抜き穴に本体押えを挿入させて装着し、この本体押えに照明器具の器具本体を載置する。このように、本発明によれば、簡単な構造の位置決め緩衝材を用いて容易かつ確実に器具本体を安定した状態に保持できる。したがって、この器具本体に照明器具の他の部品を載置または組み付けて包装すれば、照明器具を安定した状態で梱包できる。
【００５３】
そして、照明器具の使用時において包装体から照明器具の各部品を取り出す際に、アダプター等の付属品が固定手段によって本体押え上に取り付けられているため、作業者に付属品があることが分かりやすい。したがって付属品を誤って捨ててしまうことが発生しにくくなる。
【図面の簡単な説明】
【図１】本発明の実施形感に係る包装体の分解状態の斜視図。
【図２】同じく包装様造を示す断面図。
【図３】同じく一部の断面図。
【図４】同じく一部の斜視図。
【図５】従来の包装体の分解状態の斜視図。
【図６】同じく包装様造を示す断面図。
【符号の説明】
２１…包装箱
２５…位置決め緩衝材
２６…抜き穴
２８…本体押え
３１ａ…保持手段としての開口
３５…受け部
３８…アタブター
４２…引掛けシーリング
４５…器具本体
４６…シャーシ
４７…反射板
５０…ランプユニット
５４…嵌合部
５５…凹部
５６…取付口
６３…ランプ押え
６８…セード
【図１】
0004006878.tif 000002
【図２】
0004006878.tif 000003
【図３】
0004006878.tif 000004
【図４】
0004006878.tif 000005
【図５】
0004006878.tif 000006
【図６】
0004006878.tif 000007